(57)【要約】      （修正有）【課題】電気的な接続部を用いることなく、１本のコードの第１端側部分と第２端側部分とを個別に巻き取ったり繰出したり可能で、安価に製作可能なコードリールを提供する。【解決手段】コードの実用部分を巻き取ったり繰出したりする際のボビン回転時に１本のコードがねじれないような、ねじれ防止空間を備えた第１ボビン４、第２ボビン５にボビンの付勢手段７と両ボビン４，５と両外殻１１，１２と回転自在な回転軸６が有り、コードの繰出し長さ調整手段８を備えた。【選択図】図２
2016060638.tif 000002
【特許請求の範囲】
【請求項１】
１本のコードと、該コードの第１端側部分と第２端側部分とを個別に巻き取ったり繰出したり可能なコードリール本体を備えたコードリールであって、
前記コードリール本体は、
外殻に回転自在に支持された回転軸と、
前記回転軸に回転自在にそれぞれ支持された第１ボビン及び第２ボビンと、
前記両ボビンを巻取方向に常時付勢する付勢手段と、
前記ボビンの回転を規制する、コードの繰出し長さ調整手段を備え、
前記コードは途中部分が、
前記回転軸を通り、前記途中部分から両側へ延びる第１端側部分及び第２端側部分に、前記途中部分に連なるねじれ防止部分と、
前記ねじれ防止部分に連なる実用部分をそれぞれ設けたものであり、
前記第１ボビンは、
前記コードの第１端側部分のねじれ防止部分を巻回して収納する第１ねじれ防止空間と、  前記コードの第１端側部分の実用部分を巻回して巻き取ったり繰出したりする第１巻取り空間を備え、
前記第２ボビンは、
前記コードの第２端側部分のねじれ防止部分を巻回して収納する第２ねじれ防止空間と、
前記コードの第２端側部分の実用部分を巻回して巻き取ったり繰出したりする第２巻取り空間を備え、
前記コードの実用部分を巻き取ったり繰出したりする際に発生するコードのねじれを、前記回転軸の回転により、前記コードの第１ねじれ防止部分及び／又は第２ねじれ防止部分において吸収可能となしたことを特徴とするコードリール。
【請求項２】
各々のボビンは、
空間分割リブと、
空間分割リブの回転軸側にねじれ防止空間と、
空間分割リブの外周側に巻取り空間と、
ねじれ防止空間と巻取り空間の略境界にコードを固定する固定部と、
回転軸の内部にコードを固定する軸内固定部を備え、
ねじれ防止空間と巻取り空間ではコードを逆向きに巻装されることを特徴とする請求項１記載のコードリール。
【発明の詳細な説明】
【技術分野】
【０００１】  本発明はイヤホンコードやＵＳＢケーブルなどの各種コード類（以下、単にコードと称する）を巻取り可能なコードリールに関するものである。
【背景技術】
【０００２】  コードを巻装したボビンと、そのボビンを回転自在に支持する回転軸と常にコードを巻き取る方向にボビンを回転させようとする付勢手段と、その付勢手段に対抗してコードを巻き取る方向へのボビンの回転を規制する手段と、そのボビンの回転を規制する手段を解除する手段を備えたコードリールが広く実用化されている。【０００３】  コードの途中部分をボビンに固定して、コードの一側部と他側部とを逆方向にボビンに巻装し、両側部のコードを１つのボビンで同時に巻き取ったり繰り出したりすることで、ブラシなどの電気的接続部を省略したコードリールも提案され、実用化されている（例えば、特許文献１参照）。【０００４】  他に、２本のコードをそれぞれ個々に巻装した２つのボビンと、両ボビンを回転自在に同軸上に支持する回転軸と、個々のコードを常に巻き取る方向にボビンを回転させようとする２つの付勢手段と、その付勢手段に対抗してコードを巻き取る方向へのボビンの回転を個々に規制する２つの手段と、そのボビンの回転を規制する手段を個々に解除する２つの解除手段を備え、両ボビンに巻装したコードを個々に巻き取ったり繰り出したりできるように構成したコードリールも提案されている（例えば、特許文献２参照）。【０００５】  他に、コードを繰り出したり巻き取ったりする際に発生するコードのねじれを防止する空間を設けることにより、１本のコードを１つ若しくは２つのボビンに巻装し、コードを個々に巻き取ったり繰出したりできるようなコードリールも提案されている。（例えば、特許文献３参照）【０００６】  他に、２本のコードをそれぞれ個別に巻装した２つのボビンと両ボビンを回転自在に同軸上に支持する回転軸と、２本のコードを常に巻き取る方向にボビンを相対的に回転させようとする付勢する１つの付勢手段と、その付勢手段に対抗してコードを巻き取る方向へのボビンの回転を相対的に規制する１つの手段と、その両ボビンの相対的な回転の規制を解除する１つの解除手段を備えたコードリールも実用化されている（例えば、特許文献４参照）。【０００７】
【特許文献１】特開平８−２３７３４９号公報
【特許文献２】特開平１０−１３９２９０号公報
【特許文献３】特表２００２−５４４０９３
【特許文献４】特許４４２４４４７号
【発明の開示】
【発明が解決しようとする課題】
【０００８】  前記特許文献１記載のコードリールでは、ブラシなどの電気的な接続部を省略できるのでコードリールの構成を簡単にできるが、構造上、ボビンを含むコードリール本体は繰り出したコードの略中央部に配設される。携帯電話や携帯用オーディオ機器などのイヤホンのコードに適用すると、衣服のポケット等に収納した携帯電話や携帯オーディオ機器と、耳に固定したイヤホンの略中央部にコードリール本体が配設され、コードリール本体が着衣の外観を損ねることや、使い難くなることが有った。また、外観を損ねない位置にコードリール本体を配設しても、コードリール本体は繰出したコードの略中央部に配設されるので、片方のコードが必要以上に繰出され、着衣の外観を損ねたり、他の物に引っ掛ったり使い難くなる場合も有った。【０００９】  前記特許文献２記載のコードリールでは、それぞれ個別にコードを巻き取ったり繰出したり可能であるが、それぞれのボビンに巻かれているコードはブラシなどの電気的な接続部が必要であり、部品点数が増えると伴に組立も煩雑になるという問題が有った。【００１０】  前記特許文献３記載のコードリールでは、１本のコードを２つのボビンで繰出し、巻き取る構造についても記載されているが、コードのねじれを防止するための空間が一ケ所のみで、しかもこの空間内に於けるコードの端部の片側はコードのねじれを防止する空間の外側にあり、もう一方の端部は回転軸側に有る。この文献のように、ねじれ防止の空間内のコードが回転軸に平行な方向に何列も巻けようになっているものでは、コードが複雑に重なり、この空間に有るコードのねじれ防止の効果が十分に得られない。また、回転軸と平行には一列にしか巻けない構造であっても、２つのボビンに巻いてあるコードのねじれを１つのねじれ防止の空間で対応しなければならない。ねじれを防止する空間に於いてコードの巻き数が増え、コードが長くなるほどコードの移動が円滑でなくなる。繰り出したコードを巻き取るための付勢手段も強いものが必要となり、強い付勢手段を使うと、コードにかかる負担も大きくなり、コードの寿命にも影響が出るという問題が有った。【００１１】  前記特許文献４記載のコードリールに於いても、特許文献２記載のコードリール同様、それぞれのボビンに巻かれているコードはブラシなどの電気的な接続部が必要であり、部品点数が増えると伴に組立も煩雑になるという問題が有った。【００１２】  本発明の目的は、電気的な接続部を用いることなく、１本のコードの第１端側部分と第２端側部分とを個別に巻き取ったり繰出したり可能で、安価に製作可能なコードリールを提供することである。
【課題を解決するための手段】
【００１３】  本発明に係るコードリールは、１本のコードと、該コードの第１端側部分と第２端側部分とを個別に巻き取ったり繰出したり可能なコードリール本体を備えたコードリールであって、前記コードリール本体は、外殻に回転自在に支持された回転軸と、前記回転軸に回転自在にそれぞれ支持された第１ボビン及び第２ボビンと、前記両ボビンを巻取方向に常時付勢する付勢手段と、前記ボビンの回転を規制する、コードの繰出し長さ調整手段を備え、前記コードは途中部分が、前記回転軸を通り、前記途中部分から両側へ延びる第１端側部分及び第２端側部分に、前記途中部分に連なるねじれ防止部分と、前記ねじれ防止部分に連なる実用部分をそれぞれ設けたものであり、前記第１ボビンは、前記コードの第１端側部分のねじれ防止部分を巻回して収納する第１ねじれ防止空間と、前記コードの第１端側部分の実用部分を巻回して巻き取ったり繰出したりする第１巻取り空間を備え、前記第２ボビンは、前記コードの第２端側部分のねじれ防止部分を巻回して収納する第２ねじれ防止空間と、前記コードの第２端側部分の実用部分を巻回して巻き取ったり繰出したりする第２巻取り空間を備え、前記コードの実用部分を巻き取ったり繰出したりする際に発生するコードのねじれを、前記回転軸の回転により、前記コードの第１ねじれ防止部分及び／又は第２ねじれ防止部分において吸収可能となしたことを特徴とするコードリール。【００１４】  このコードリールでは第１ボビン、第２ボビン共に外殻外側にコードリール本体３より繰出すコードを巻き取ったり繰出したりする巻取り空間と、コードを巻き取ったり繰出したりする際にボビンの回転により発生するコードのねじれを防止するねじれ防止空間に分かれている。【００１５】  コードのねじれを防止する構造の基本的な考えを本コードリールの片側のみの動作で説明する。条件としては回転できるボビンは１つだけで、そのボビンは回転軸に対して回転自在であるが、回転軸が外殻に対して回転自在でないとする。この条件下で、例えば、コードをボビンの巻取り空間よりボビン４回転分繰り出すためには、ボビンのねじれ防止空間に予め巻取り空間のコードとは反対向きに２回転巻装しておき、その状態でボビンのねじれ防止空間にあるコードのねじれ防止部分の長さがボビンを回転しても変わらないように回転軸部分と、巻取り空間とねじれ防止空間の境目に於いてコードを固定する。この状態でボビンの巻取り空間のコードを繰り出す方向にボビンを４回転させると、ねじれ防止空間では予め巻いておいた２回転分緩んだのち、元々巻いていた向きと反対向きに２回転巻かれることにより、巻取り空間４回転分のコードのねじれを防ぐ。ねじれ防止空間に於いてねじれ防止部分のコードが回転できる回数が巻取り空間のコードを全て繰出すために必要な回転数より多ければねじれ防止空間に予め巻装する回数は多くても良い。ただし、ねじれ防止空間はコードが無理なく反転、巻装可能な空間が必要とされる。【００１６】  本発明に係るコードリールで説明すると、ボビンは第１ボビン、第２ボビンと２つあり、両ボビンは回転軸に回転自在に支持されており、回転軸は外殻に回転自在に支持されている。回転軸は回転自在なので、例えば、第１ボ���ンのねじれ防止空間が２回転、第２ボビンのねじれ防止空間が４回転することができる場合は、第１ボビンの巻取り空間と第２ボビンの巻取り空間のコードは、合計６回転分繰り出し可能となる。先にも書いたが、回転軸が回転自在なので、第１ボビンのねじれ防止分を第２ボビンで補うことができ、その反対もまた可能であり、両ボビンのねじれ防止空間の回転可能な回数の合計が両ボビンの巻取り空間の回転可能な回数の合計となる。【００１７】  第１ボビンから繰出すコードの長さと第２ボビンから繰出すコードの長さは同じである必要はない。【００１８】  第１ボビンと第２ボビンの巻取り空間とねじれ防止空間の比率は同じである必要はない。コードの長さいかんではボビンのねじれ防止空間は片側のボビンだけとし、もう片方のボビンのねじれ防止空間を無くしても良い。【００１９】  ねじれ防止のための第１ボビンのねじれ防止空間、第２ボビンのねじれ防止空間に予め巻装するコードの回数やその面積は、第１ボビン、第２ボビンに巻き取る配線長さに応じて適宜変更する。
【発明の効果】
【００２０】  本発明に係るコードリールによれば、従来のコードリールと同様に１本のコードで電気的な接続部を用いることなく個別に繰出したり巻き取ったりできる。ボビンを回転することにより発生するコードのねじれを防止する部分を２ケ所に増やし、しかも、其の２ケ所を連動させることによりコードを巻き取ったり繰出したりする際発生する抵抗を分散、減少させ、コードを巻き取ったり繰出したりする動作を円滑にできる。動作が円滑になることでボビンを回転させようとする付勢手段の力を小さくでき、コードにかかる負担を小さくできるのでコードの寿命を延ばすことも期待できる。
【図面の簡単な説明】
【００２１】
【図１】コードリールの斜視図
【図２】コードリールの分解斜視図
【図３】第１ボビン、第２ボビン、両ボビンと常に相対的にコードを巻き取る方向に回転させとうそする付勢手段の図４のＡ−Ａ断面図
【図４】第１ボビン、第２ボビン、両ボビンと常に相対的にコードを巻き取る方向に回転させとうそする付勢手段の正面図
【図５】第１ボビン、第２ボビン、両ボビンと常に相対的にコードを巻き取る方向に回転させとうそする付勢手段の図４のＢ−Ｂ断面図
【図６】回転軸を除いた図７のＣ−Ｃ断面図
【図７】コードを除いた背面図
【図８】回転軸を除いた図７のＤ−Ｄ断面図
【図９】図１０のＥ矢視図
【図１０】天面外殻、底面外殻、ボビン回転時に発生する摩擦を減少させる手段を除いた正面図
【図１１】図１０のＦ矢視図
【図１２】平面図
【図１３】図１２のコードを除いたＧ−Ｇ断面図
【図１４】繰出し長さ調整手段の規制時の状態を示す図
【図１５】図１０のＨ−Ｈ断面図
【図１６】第３ボビンと第４ボビンの相対的な回転を規制する手段を示す図
【図１７】回転軸を除いた図１８のＩ−Ｉ断面図
【図１８】コードを除いた背面図
【図１９】回転軸を除いた図１８のＪ−Ｊ断面図
【図２０】図２１のＫ−Ｋ断面図
【図２１】第２回転軸の正面図
【図２２】第２回転軸の底面図
【図２３】第２回転軸の背面図
【図２４】第３回転軸の平面図
【図２５】第３回転軸の正面図
【図２６】第３回転軸の底面図
【図２７】第３回転軸の背面図
【発明を実施するための最良の形態】
【００２２】  以下、本発明を実施するための最良の形態について、図を参照しながら説明する。
図１から図１５に示すように本コードリールは１本のコード２と、このコード２の第１端側部分と第２端側部分とを個々に巻き取ったり繰出したり可能なコードリール本体３とを備えている。本実施形態では端部にＵＳＢ端子２ａを設けたＵＳＢケーブルに本発明を適応した場合について説明するが、本発明のコードリールは、ＵＳＢケーブル以外のコード、例えば、イヤホンコードやオーディオ機器等の配線コードに対しても同様に適用することができる。図２を基準に向きを定義して説明する。【００２３】  コードリール本体３は相互に逆方向にコード２をそれぞれ巻装した第１ボビン４及び第２ボビン５と、両ボビン４，５を回転自在に支持する回転軸６と、両ボビン４，５を巻取方向に付勢するボビンの付勢手段７と、両ボビン４，５から繰出されるコード２の長さを調整する繰出し長さ調整手段８と、コード２と両外殻１２，１３との摩擦を減らす手段１１を備えている。【００２４】  コードリール本体３の外殻１２，１３は一対で構成され、ビス１４で組み立てられている。天面外殻１２の右側壁にはコード２を天面外殻１２外へ繰出すための天満外殻の排出孔１２ｂが設けられ、底面外殻１３の左側壁にはコード２を底面外殻１３外へ繰出すための底面外殻の排出孔１３ｂが設けられ、両外殻１２，１３の内壁略中央部には回転軸６を回転自在に支持する天面側回転軸用凹み１２ａと底面側回転軸用凹み１３ａが形成され、天面外殻１２の背面側内壁には繰出し長さ調整手段８を支持するピン１２ｃが設けられ、底面外殻１３には天面外殻１２のピン１２ｃが嵌合するピン用凹み１３ｃが形成されている。なお、本実施形態では、１本のコード２の端部をコードリール本体３の両側へ排出したが、コード２の排出方向は任意に設定可能で、例えば１本のコード２の両端部をコードリール本体３の同じ側から排出するように構成することもできる。【００２５】  第１ボビン４は、第１孔４ｇと、第１孔４ｇから外方へ延びる略円盤状の第１ガイド板４ｈと、第１ガイド板４ｈから上方向へ延びる、第１固定部４ｂを含む、略円筒状の第１空間分割リブ４ｆと、下方向へ延びる略円筒状の第１付勢手段係止リブ４ｅと、第１ガイド板４ｈ外周に第１凸部４ａを備え、合成樹脂材料などの一体成型で形成され、第１ガイド板４ｈと天面外殻１２の内壁間において、第１ボビン４の第１巻取り空間４ｄにはコード２の第１実用部分２ｄが巻装され、第１ねじれ防止空間４ｃには第１実用部分２ｄとは逆向きにコード２の第１ねじれ防止部分２ｃが巻装され、第１実用部分２ｄと第２ねじれ防止部分２ｃとは第１固定部４ｂにおいて第１ボビン４に固定されている。【００２６】  第２ボビン５は、第２孔５ｇと、第２孔５ｇから外方へ延びる略円盤状の第２ガイド板５ｈと、第２ガイド板５ｈから下方向へ延びる、第２固定部５ｂを含む、略円筒状の第２空間分割リブ５ｆと、上方向へ延びる略円筒状の第２付勢手段係止リブ５ｅと、第２ガイド板５ｈ外周に第２凸部５ａを備え、合成樹脂材料などの一体成型で形成され、第２ガイド板５ｈと底面外殻１３の内壁間において、第２ボビン５の第２巻取り空間５ｄにはコード２の第２実用部分２ｆが巻装され、第２ねじれ防止空間５ｃには第２実用部分２ｆとは逆向きにコー���２の第２ねじれ防止部分２ｅが巻装され、第２固定部分２ｆと第２ねじれ防止部分２ｅとは第２固定部５ｂにおいて第２ボビン５に固定されている。【００２７】  ボビンの付勢手段７は渦巻バネで構成され、第１ボビン４の第１ガイド板４ｈと第２ボビン５の第２ガイド板５ｈの間に設けられている。ボビンの付勢手段７の一端部は、第１ボビン４の第１付勢手段係止リブ４ｅの第１切り欠き部４ｉに、他端部は第２ボビン５の第２付勢手段係止リブ５ｅの切り欠き部５ｉに係止され、コード２の第１実用部分２ｄと第２実用部分２ｆを常時巻き取る方向に付勢するよう構成されている。【００２８】  繰出し長さ調整手段８について説明すると、第１レバー９と、第１レバーの付勢手段１０と、天面外殻１２で構成され、第１レバー９にはピン１２ｃに回転自在に支持される第１レバーの孔９ａと、各々のボビン４，５の巻取方向への回転を規制する第１レバーの規制部９ｂと、各々のボビン４，５の規制を解除する第１レバーの操作部９ｃが設けられ、第１レバーの付勢手段１０はねじりコイルばねで構成され、ピン１２ｃに回転自在に支持されるコイルばねの内径部分である第１内径部１０ａが設けられ、第１レバーの規制部９ｂが常時個々に両ガイド板４ｈ、５ｈの外周端面に押し付けられるよう構成されている。【００２９】  摩擦を減らす手段１１について説明すると、摩擦を減らす手段１１の略中央部に摩擦を減らす手段の孔１１ａが設けられ、摩擦を減らす手段の孔１１ａに回転軸６を通し、コード２と両外殻１２，１３の内壁の間に回転自在に支持されている。【００３０】  ボビンの付勢手段７は、図３、図４、図５のように第１ボビン４の第１付勢手段係止リブ４ｅの第１切り欠き部４ｉと第２ボビン５の第２付勢手段係止リブ５ｅの第２切り欠き部５ｉに係止されている。【００３１】  第１ボビン４に巻装された第１実用部分２ｄの繰出しについて説明すると、ボビンの付勢手段７に抗して第１実用部分２ｄを繰り出すと第１ボビン４は回転し、第１レバーの規制部９ｂは第１ガイド板４ｈの外周端部に付勢され接触を維持した状態で第１実用部分２ｄを繰り出すことを止めるまで第１凸部４ａを乗り越える動作を繰り返す。第１実用部分２ｄを繰り出す向きへの負荷を無くすと、図８のように第１凸部４ａが第１レバーの規制部９ｂに係止されるまでボビンの付勢手段７により第１ボビン４はコード２を巻き取る方向に回転するが、係止された後は第１実用部分２ｄが繰出された状態で保持される。【００３２】  繰出された第１実用部分２ｄの巻取について説明すると、第１レバーの付勢手段１０に抗して第１レバーの操作部９ｃを押し、第１凸部４ａから第１レバーの規制部９ｂを離間させると、ボビンの付勢手段７により第１ボビン４を巻取方向に回転させ、コードリール本体３に対して、第１実用部分２ｄを巻き取ることになる。【００３３】  第２ボビン５に巻装された第２実用部分２ｆの繰出しと巻取について説明すると、前記第１ボビン４の動作とは回転する向きが逆になるが、同様に繰出し、巻取りをする。第１レバーの規制部９ｃを押し、第２凸部５ａから第１レバーの規制部９ｂが離間した例を図６に示す。【００３４】  繰出し長さ調整手段８の第１レバーの付勢手段１０と第１レバー９の係合について説明すると、１個の第１レバーの付勢手段１０と２個の第１レバーを使用し、第１レバーの孔９ａと第１レバーの内径部１０ａがピン１２ｃに回転自在に支持され、第１レバーの規制部９ｂを両ボビン４，５のガイド板４ｈ、５ｈの外周端部に常時押し当てるよう図１４のように構成されている。【００３５】  繰出し、巻取りによるコード２のねじれを防ぐための巻装方法を説明すると、第１ボビンでは、第１巻取り空間４ｄに第１実用部分２ｄを付勢手段７により巻き取られる方向に巻装し、第１ねじれ防止空間４ｃには第１実用部分２ｄを巻き取った状態において第１ねじれ防止部分２ｃが第１実用部分２ｄとは逆向きに図９のように巻装されている。第２ボビンでも同様に、第２巻取り空間５ｄに第２実用部分２ｆを付勢手段７により巻き取られる方向に巻装し、第２ねじれ防止空間５ｃには第２ねじれ防止部分２ｆを巻き取った状態において第２ねじれ防止部分２ｅが第２実用部分２ｆとは逆向きに図１１のように巻装されている。【００３６】  両ボビン４，５とコード２の巻装例について説明すると、第１ボビンでは図９のように第１巻取り空間４ｄに第１実用部分２ｄをボビンの付勢手段７により巻き取られる方向に４回転分繰り出せるように巻装された状態で第１ねじれ防止空間４ｃに第１実用部分２ｄとは逆向きに第１ねじれ防止部分２ｃを１回転予め巻装され、第２ボビンでは図１１のように第２巻取り空間５ｄに第２実用部分２ｆをボビンの付勢手段７により巻き取られる方向に２回転分繰り出せるように巻装された状態で第２ねじれ防止空間５ｃに第２実用部分２ｆとは逆向きに第２ねじれ防止部分２ｅを２回転予め巻装されている。【００３７】  前記のようにコードを巻いた場合における動作の一例を説明すると、先ず、第１巻取り空間４ｄより第１実用部分２ｄを４回転繰出す際回転自在な回転軸６も第１ボビン４と一緒に回転可能で、一緒に回転した場合、第１ねじれ防止空間４ｃにある第１ねじれ防止部分２ｃに変化は無いが、第２ボビン５を基準に図１１の向きから見ると回転軸６が第２ねじれ防止部分２ｅの元々巻かれていた向きとは逆に４回転したことになり、第２ねじれ防止部分２ｅが元々巻かれていた向きと反対向きに２回転巻装された状態となる。次に、第２巻取り空間５ｄより第２実用部分２ｆを２回転繰出す際回転自在な回転軸６も第２ボビン５と一緒に回転可能で、一緒に回転した場合、第２ねじれ防止空間５ｃにある第２ねじれ防止部分２ｅに変化は無いが、第１ボビン４を基準に図９の向きから見ると回転軸６が第１ねじれ防止部分２ｃの元々巻かれていた向きとは逆に２回転したこととなり、第１ねじれ防止部分２ｃが巻かれていた向きと反対向きに１回巻装された状態になるだけで、コード２にねじれは発生しない。【００３８】  図９〜図１１におけるねじれ防止の前記説明では容易に理解できるために回転軸６が第１ボビン４若しくは第２ボビン５と一緒に回転する場合を想定したが、一緒に回転する必要は全くなく、両ねじれ防止部分２ｃ、２ｅと両実用部分２ｄ、２ｆがコード２のねじれを防止するために必要な巻き数の設定を理解するためのもので、繰出し、巻取りにより発生するコード２のねじれを防止する設定を説明すると、コー���２を全てコードリール本体３に巻き取った状態で、両巻取り空間４ｄ、５ｄに巻かれている両実用部分２ｄ、２ｆの総巻き数に対し、両ねじれ防止空間４ｃ、５ｃに予め逆向きに巻装されている両ねじれ防止部分２ｃ、２ｅの総巻き数が半分以上あれば、コードリール本体３の使用時にコード２にねじれは発生しない。【００３９】  両ねじれ防止空間４ｃ、５ｃについて更に説明すると、両ねじれ防止部分２ｃ、２ｅが無理なく巻方向を反転、巻装が可能な空間が必要で、この両ねじれ防止空間４ｃ、５ｃが小さいとコード２にかかる負担が大きくなり、問題の原因となる。【００４０】  両ボビン４，５の両固定部４ｂ、５ｂと回転軸６の軸内固定部６ｂの必要性について説明すると、第１ねじれ防止空間４ｄに適した第１ねじれ防止部分２ｃの長さが変化すると、繰出し、巻取りが円滑にできなくなり、最悪は繰出し、巻取りができなくなる可能性も有るので、第１ねじれ防止部分２ｃの長さを一定に保つために第１固定部４ｂと軸内固定部６ｂにおいて固定される必要が有る。第２ねじれ防止空間５ｃと第２ねじれ防止部分２ｅについても同様に第２固定部５ｂと軸内固定部６ｂにおいて固定される必要が有る。【００４１】  図１６〜図２７に示すコードリールの説明をすると、第３ボビン２１にはボビンの最外形部分に第３ボビンの略ギヤ部２１ａと第３孔２１ｂにつながる第３組立て孔２１ｃが設けられ、第４ボビン２２にはボビンの最外形部分に第４ボビンの略ギヤ部２２ａと第３孔２２ｂにつながる第３組立て孔２２ｃが設けられており、両ボビン２１、２２と、ボビンの相対的な回転を規制する手段２３以外は前記実施形態と同様である。【００４２】  ボビンの相対的な回転を規制する手段２３について説明すると、ストッパー２４と、第２レバー２５と、ストッパーの付勢手段２６と、天面外殻１２で構成され、ストッパー２４にはストッパーの回転軸２４ｂと、ストッパーの回転軸２４ｂから外方へ延びる略ギヤ状のストッパーの略ギヤ部２４ａが設けられ、第２レバー２５にはピン１２ｃに回転自在に支持される第２レバーの外殻用孔２５ａと、ストッパーの回転軸を回転自在に支持する第２レバーのストッパー用孔２５ｂと、ボビンの相対的な回転を規制する手段２３を解除しコード２を巻き取る第２レバー操作部２５ｃが設けられ、ストッパーの付勢手段２６はねじりコイルばねで構成され、ピン１２ｃに回転自在に支持されるコイルばねの内径部分である第２内径部２６ａが設けられ、ストッパーの略ギヤ部２４ａが両ボビンの略ギヤ部２１ａ、２２ａに常時付勢されるよう構成されている。【００４３】  ボビンの相対的な回転を規制する手段２３のストッパー２４と、第２レバー２５と、ストッパーの付勢手段２６と、天面外殻１２の係合について説明すると、ストッパーの回転軸２４ｂが第２レバーのストッパー用孔２５ｂに、第２レバーの外殻用孔２５ａと第２内径部２６ａがピン１２ｃに回転自在に支持され、第２端部２６ｂを天面外殻１２の端面と第２レバーの操作部２５ｃに係止し、図１９のようにストッパーの略ギヤ部２４ａが両ボビンの略ギヤ部２１ａ、２２ａに押し付けられるよう常時付勢されている。【００４４】  両実用部分２ｄ、２ｆの繰出しについて、ボビンの相対的���回転を規制する手段２３の説明をすると、図１９のようにストッパーの略ギヤ部２４ａが両ボビンの略ギヤ部２１ａ、２２ａと嵌合している状態では両ボビン２１，２２は同時に回転できるが、相対的な回転はできない。コード２の一端部を巻き取られないように保持した状態で他端部のコード２を繰り出すと、ストッパーの付勢手段２６に抗し、ストッパー２４が押し上げられてコードは繰出される。【００４５】両実用部分２ｄ、２ｆを巻き取るには図１７のように第２レバー操作部２５ｃを押し、ストッパーの略ギヤ部２４ａを両ボビンの略ギヤ部２１ａ、２２ａから図１７のように離間させると、ボビンの付勢手段７により両ボビン４，５を巻取方向に回転させ、コードリール本体３に対して両実用部分２ｄ、２ｆを巻き取ることになる。【００４６】第２回転軸について説明すると、両ボビン２１、２２を貫通する方向に第２スリット２７ａを設けており、第２スリット２７ａに途中部分２ｂを通し、回転軸６同様、両外殻１２、１３に回転自在に支持され、両ボビン２１、２２は第２回転軸２７に回転自在に支持される。【００４７】第３回転軸について説明すると、両ボビン２１、２２を貫通する方向に、第３回転軸の上下端面部分では背面の第３軸通過部２８ｂにつながる第３スリット２８ａを設けており、途中部分２ｂを通し、回転軸６同様、両外殻１２、１３に回転自在に支持され、両ボビン２１、２２は第３回転軸２８に回転自在に支持される。【００４８】第２回転軸２７と第３回転軸２８と、第３ボビン２１と第４ボビン２２について説明すると、回転軸６と第１ボビン４と第２ボビン５の組み合わせではＵＳＢ端子２ａのように回転軸６より大きなものを組むには組立て時に予め回転軸６と第１ボビン４と第２ボビン５にコード２を通しておく必要があったが、第２回転軸２７若しくは第３回転軸２８と、第３ボビン２１と第４ボビン２２の組み合わせでは、両組立て孔２１ｃ、２２ｃをＵＳＢ端子２ａが通過し、途中部分２ｂが第２回転軸２７若しくは第３回転軸２８に収まれば、コード２を組立てた後コードリール本体に３コード２を組むことができるようになり、組立てが容易になる。【００４９】  第１ボビン４、第２ボビン５に前記第３組立て孔２１ｃ、第４組立て孔２２ｃと同等の効果を得られる組立て孔を設けたり、第２回転軸２７や第３回転軸２８と組み合わせを変えたりしても良い。
【符号の説明】
【００５０】１      コードリール                ２      コード
２ａ    ＵＳＢ端子                  ２ｂ    途中部分
２ｃ    第１ねじれ防止部分          ２ｄ    第１実用部分
２ｅ    第２ねじれ防止部分          ２ｆ    第２実用部分
２ｇ    第１端側部分                ２ｈ    第２端側部分
３      コードリール本体            ４      第１ボビン
４ａ    第１凸部                    ４ｂ    第１固定部
４ｃ    第１ねじれ防止空間          ４ｄ    第１巻取り空間
４ｅ    第１付勢手段係止リブ        ４ｆ    第１空間分割リブ
４ｇ    第１孔                      ４ｈ    第１ガイド板
４ｉ    第１切り欠き部              ５      第２ボビン
５ａ    第２凸部                    ５ｂ    第２固定部
５ｃ    第２ねじれ防止空間          ５ｄ    第２巻取り空間
５ｅ    第２付勢手段係止リブ        ５ｆ    第２空間分割リブ
５ｇ    第２孔                      ５ｈ    第２ガイド板
５ｉ    第２切り欠き部              ６      回転軸
６ａ    軸通過部                    ６ｂ    軸内固定部
６ｃ    両ボビンを回転自在に支持    ７      ボビンの付勢手段
８      繰出し長さ調整手段          ９      第１レバー
９ａ    第１レバーの孔              ９ｂ    第１レバーの規制部
９ｃ    第１レバーの操作部          １０    第１レバーの付勢手段
１０ａ  第１内径部                  １０ｂ  第１端部
１１    摩擦を減らす手段            １１ａ  摩擦を減らす手段の孔
１２    天面外殻                    １２ａ  天面側回転軸用凹み
１２ｂ  天面外殻の排出孔            １２ｃ  ピン
１３    底面外殻                    １３ａ  底面側回転軸用凹み
１３ｂ  底面外殻の排出孔            １３ｃ  ピン用凹み
１４    ビス                        ２１    第３ボビン
２１ａ  第３ボビンの略ギヤ部        ２１ｂ  第３孔
２１ｃ  第３組立て孔                ２２    第４ボビン
２２ａ  第４ボビンの略ギヤ部        ２２ｂ  第４孔
２２ｃ  第４組立て孔                ２３    ボビンの相対的な回転を規制する手段
２４    ストッパー                  ２４ａ  ストッパーの略ギヤ部
２４ｂ  ストッパーの回転軸          ２５    第２レバー
２５ａ  第２レバーの外殻用孔        ２５ｂ  第２レバーのストッパー用孔
２５ｃ  第２レバー操作部            ２６    ストッパーの付勢手段
２６ａ  第２内径部                  ２６ｂ  第２端部
２７    第２回転軸                  ２７ａ  第２スリット
２８    第３回転軸                  ２７ａ  第３スリット
２８ｂ  第３軸通過部
【図１】
2016060638.tif 000003
【図２】
2016060638.tif 000004
【図３】
2016060638.tif 000005
【図４】
2016060638.tif 000006
【図５】
2016060638.tif 000007
【図６】
2016060638.tif 000008
【図７】
2016060638.tif 000009
【図８】
2016060638.tif 000010
【図９】
2016060638.tif 000011
【図１０】
2016060638.tif 000012
【図１１】
2016060638.tif 000013
【図１２】
2016060638.tif 000014
【図１３】
2016060638.tif 000015
【図１４】
2016060638.tif 000016
【図１５】
2016060638.tif 000017
【図１６】
2016060638.tif 000018
【図１７】
2016060638.tif 000019
【図１８】
2016060638.tif 000020
【図１９】
2016060638.tif 000021
【図２０】
2016060638.tif 000022
【図２１】
2016060638.tif 000023
【図２２】
2016060638.tif 000024
【図２３】
2016060638.tif 000025
【図２４】
2016060638.tif 000026
【図２５】
2016060638.tif 000027
【図２６】
2016060638.tif 000028
【図２７】
2016060638.tif 000029